(57)【要約】【課題】  ガス中に含まれる、ＮＯxやＳＯx等の各種の有害物質を効率的に酸化分解除去し、芳香族系物質であるフェノールやダイオキシン等の有機有害物質も除去する。【解決手段】  電気的に絶縁した円筒容器の中心部に導電性酸化物を被覆した金属棒を配置してこれを陽極（１０）とし、その外側を多孔性金属板によって同心円状に囲み、これを陰極（１１）とし、さらにその外側で、かつ、円筒（１２）の内側に導電性酸化物を被覆した金属円筒を収容し、円筒容器内へのガスの流入部（１３）とその排出部（１５）とを備えた排ガス中の有害物質の酸化分解装置であって、陽極（１０）と陰極（１１）に、線間電圧で０．４ｋＶ／ｃｍ〜７ｋＶ／ｃｍ、周波数５０〜１５０ｋＨｚ、電流１〜５０ｍＡを付与する。【選択図】 図１
2006068743.tif 000002
【特許請求の範囲】
【請求項１】
電気的に絶縁した円筒容器の中心部に導電性酸化物を被覆した金属棒を配置してこれを陽極とし、その外側を多孔性金属板によって同心円状に囲み、これを陰極とし、さらにその外側で、かつ、円筒の内側に導電性酸化物を被覆した金属円筒を収容し、円筒容器内へのガスの流入部とその排出部とを備えた排ガス中の有害物質の酸化分解装置であって、陽極と陰極に、線間電圧で０．４ｋＶ／ｃｍ〜７ｋＶ／ｃｍ、周波数５０〜１５０ｋＨｚ、電流１〜５０ｍＡを付与する発信装置を備えたことを特徴とする微量有害物質の酸化分解装置。
【請求項２】
円筒容器内には、中心軸方向に直交する隔壁が設けられている請求項１の酸化分解装置。
【請求項３】
電気的に絶縁した円筒容器の中心部に金属もしくは表面に白金を配設した金属の棒状体を陰極として置き、これをセラミックスや樹脂で電気的に絶縁して、導電性酸化物で表面被覆したらせん状の帯板を巻きつけて取り付け、さらにその外壁をステンレス板やチタン板で覆ったものを陽極として収容し、円筒容器内へのガスの流入部とその排出部とを備えた排ガス中の有害物質の酸化分解装置であって、陽極と陰極の間に線間電圧０．４ｋＶ／ｃｍ〜７ｋＶ／ｃｍ、周波数５０〜１５０ｋＨｚ、電流１〜５０ｍＡを付与する発信装置を備えたことを特徴とする微量有害物質の酸化分解装置。
【請求項４】
内側に導電性酸化物もしくは白金を被覆した金属筒を複数束ねた構造のものを陽極として、さらに金属筒一つ一つに金属を中心に置き、これを陰極とし、これらを電気的に絶縁した円筒、角形状の筒の中に収容し、ガスの流入部とその排出部とを備えた排ガス中の有害物質の酸化分解装置であって、陽極と陰極との間に線間電圧０．４ｋＶ／ｃｍ〜７ｋＶ／ｃｍ、周波数５０〜１５０ｋＨｚ、電流０．５〜５０ｍＡを付与する発信装置を備えたことを特徴とする微量有害物質の酸化分解装置。
【請求項５】
導電性酸化物が酸化チタン、酸化スズ、酸化ルテニウムの１種以上である請求項１ないし４のいずれかの酸化分解装置。
【請求項６】
請求項１ないし５のいずれかの装置を用いることを特徴とする微量有害物質の酸化分解方法。
【発明の詳細な説明】
【技術分野】
【０００１】
この出願の発明は、微量有害物質の酸化分解装置に関するものである。さらに詳しくは、この出願の発明は、池や湖沼の富栄養化によって繁殖した藻類やこれを捕食する小動物や菌類の分離・分解、さらにはトリハロメタンやトリブチルスズなどの環境ホルモン物質と呼ばれている有害化合物等の分解処理の際に生じる排ガス、自動車エンジンなどの排ガス中の微量有害物質の酸化分解装置とこれを用いた分解方法に関するものである。
【背景技術】
【０００２】
従来より、汚濁水や排ガス中の各種の有害物質を分離・分解処理するための様々な方式や手段が検討されてきており、すでに実用化されている方法にも各種のものがある。
【０００３】
これらの方法では、化学薬剤を加えるか、あるいはこれら薬剤と接触させることにより分解処理する化学的方法や、微生物による処理として特徴のある生物学的方法、さらには電気化学的な分解法などが主なものとして知られている。また、例えば、汚濁水を処理した際に生じる排ガスやディーゼルエンジンを含む自動車エンジンが排出する排ガスの有害物質の処理には、フィルターに単に吸着させる処理方法が知られている。
【０００４】
しかしながら、池や湖沼、あるいは河川水などにおける繁殖した藻類やこれを捕食する小動物、菌類や、各種の有害物質等を含有する汚濁水を処理した際に生じる排ガス、そして近年とみに問題として深刻化しているトリハロメタン、トリブチルスズ、ダイオキシン等の環境ホルモン物質と呼ばれている有機化合物をも分解するとの点においては、従来の方法ではいずれも一長一短があり、共通した手段、方式としては適用できないという問題があった。
【発明の開示】
【発明が解決しようとする課題】
【０００５】
このような状況において、この出願の発明者らは、高電場パルス放電によって酸化分解処理することが有効であることを見出し、この酸化分解法の適用のための望ましい方法とその装置について検討を進めてきた。
【０００６】
この出願の発明は、以上のとおりの背景からなされたものであって、従来法の問題点を解消し、より効率的に大量処理が可能であって、各種の被処理対象に対してより広範囲に適用することのできる汎用性に優れた、排ガス中の微量有害物質の酸化分解装置とこれを用いた分解方法を提供することを課題としている。
【課題を解決するための手段】
【０００７】
この出願の発明は、上記の課題を解決するものとして、まず第１には、電気的に絶縁した円筒容器の中心部に導電性酸化物を被覆した金属棒を配置してこれを陽極とし、その外側を多孔性金属板によって同心円状に囲み、これを陰極とし、さらにその外側で、かつ、円筒の内側に導電性酸化物を被覆した金属円筒を収容し、円筒容器内へのガスの流入部とその排出部とを備えた排ガス中の有害物質の酸化分解装置であって、陽極と陰極に、線間電圧で０．４ｋＶ／ｃｍ〜７ｋＶ／ｃｍ、周波数５０〜１５０ｋＨｚ、電流１〜５０ｍＡを付与する発信装置を備えたことを特徴とする微量有害物質の酸化分解装置を提供する。
【０００８】
また、第２には、円筒容器内には、中心軸方向に直交する隔壁が設けられている酸化分解装置を提供する。
【０００９】
第３には、電気的に絶縁した円筒容器の中心部に金属もしくは表面に白金を配設した金属の棒状体を陰極として置き、これをセラミックスや樹脂で電気的に絶縁して、導電性酸化物で表面被覆したらせん状の帯板を巻きつけて取り付け、さらにその外壁をステンレス板やチタン板で覆ったものを陽極として収容し、円筒容器内へのガスの流入部とその排出部とを備えた排ガス中の有害物質の酸化分解装置であって、陽極と陰極の間に線間電圧０．４ｋＶ／ｃｍ〜７ｋＶ／ｃｍ、周波数５０〜１５０ｋＨｚ、電流１〜５０ｍＡを付与する発信装置を備えたことを特徴とする微量有害物質の酸化分解装置を提供し、第４には、内側に導電性酸化物もしくは白金を被覆した金属筒を複数束ねた構造のものを陽極として、さらに金属筒一つ一つに金属を中心に置き、これを陰極とし、これらを電気的に絶縁した円筒、角形状の筒の中に収容し、ガスの流入部とその排出部とを備えた排ガス中の有害物質の酸化分解装置であって、陽極と陰極との間に線間電圧０．４ｋＶ／ｃｍ〜７ｋＶ／ｃｍ、周波数５０〜１５０ｋＨｚ、電流０．５〜５０ｍＡを付与する発信装置を備えたことを特徴とする微量有害物質の酸化分解装置を提供する。
【００１０】
そして、第５には、導電性酸化物が酸化チタン、酸化スズ、酸化ルテニウムの１種以上である前記の第１ないし第４のいずれかの発明の酸化分解装置も提供する。
【００１１】
さらに、この出願の発明は、第６には、第１ないし第５のいずれかの装置を用いる微量有害物質の酸化分解方法を提供する。
【発明の効果】
【００１２】
以上のとおりのこの出願の発明は、高電場パルス放電によって酸化分解処理することで、より効率的に大量処理が可能であって、コンポストや下水処理場の排ガス、燃焼排ガス、ダイオキシン、ダイオキシン、ＮＯX ＳＯx 自動車の排ガス、炭化水素等の各種の被処理対象に対してより広範囲に、汎用性高く適用することができる。
【発明を実施するための最良の形態】
【００１３】
この出願の発明は、上記のとおりの特徴をもつものであるが、以下にその実施の形態について説明する。
【００１４】
まず、この出願の第１の発明の装置が依拠する酸化分解の主な原理は次のとおりである。すなわち酸化チタン、酸化ルテニウム、酸化スズ粒子等の導電性酸化物が構成する空洞の表面に電子が入ると、その表面は主に酸素ラジカルやヒドロキシルラジカルが１０〜１００μｓの間発生する。これらの酸素ラジカルやヒドロキシルラジカルは、例えばＮＯX 、ＳＯX 、Ｈ2 Ｓ等の排ガスを酸化し、さらにヒドロキシルラジカルは、例えば芳香族系のフェノール物質の開裂に大きな働きをすることが知られている。この発明装置は、これらの高電場パルス照射による特性を生かした排ガス処理装置である。
【００１５】
また、電子照射で生態細胞膜は貫通され、細胞粒子は穿孔されることになる。細胞構成物質を液体中に出すので、殺菌に有効である。たとえば、藍藻類を線間電圧１ｋｖ／ｃｍ、電流１ｍＡで破壊する。*Ｏラジカルおよび*ＯＨラジカルは、酸化後、Ｈ+ イオンを液中に残すので、電気穿孔された細胞は空泡に酸素を持つ場合には脱気される。一方、細胞膜は速やかに帯電し、凝集性をもつので、容易に沈澱する。このように、生細胞の分解除去に有用である。そして、このとき生じる排ガスを効率よく酸化分解することができる。
【００１６】
例えば、汚濁水の処理における酸化分解でＮＯX 、ＳＯX 、Ｈ2 Ｓ等の有害ガスが発生する場合を考慮すると、これらの再分解が望ましいことになる。この出願の発明は、そのための装置として、第１および第２の発明のように、電気的に絶縁した円筒容器の中心部に導電性酸化物を被覆した金属棒を配置してこれを陽極とし、その外側を多孔性金属板によって同心円状に囲み、これを陰極とし、さらにその外側で、かつ、円筒の内側に導電性酸化物を被覆した金属円筒を収容し、円筒容器内へのガスの流入部とその排出部とを備えた排ガス中の有害物質の酸化分解装置であって、陽極と陰極に、線間電圧で０．４ｋＶ／ｃｍ〜７ｋＶ／ｃｍ、周波数５０〜１５０ｋＨｚ、電流１〜５０ｍＡを付与する発信装置を備えたことを特徴とする微量有害物質の酸化分解装置とすることである。
【００１７】
そして、円筒容器内には、中心軸方向に直交する隔壁が設けられている酸化分解装置を好ましい態様とすることである。
【００１８】
図１はその構成例を示している。
【００１９】
この図１では、酸化チタン、酸化スズ、酸化ルテニウム等の導電性酸化物を被覆したチタンやステンレス等の丸棒を陽極（１０）とし、ステンレスやチタンの多孔性金属板を陰極（１１）として、これにより陽極（１０）を同心円状に囲み、さらにその外側の内壁に上記同様の導電性酸化物を被覆したチタンやステンレスの円筒（１２）を配置している。そして、これらは、電気的に絶縁した円筒容器（図示は省略）内に納められている。
【００２０】
ガスは、流入口（１３）より入り、隔壁板（１４）にじゃまされながら軸方向に流れて排出口（１５）より１パスで出ていくことになる。
【００２１】
この装置によれば、線間電圧１ｋＶ／ｃｍ、電流２ｍＡ、周波数５０ｋＨｚで、ＮＯx 、Ｈ2 Ｓなどの分解は７０〜８０％になることが確認されている。
【００２２】
また、第３の発明では、その装置の構成は、電気的に絶縁した円筒容器の中心部に金属もしくは表面に白金を配設した金属棒状体を陰極として置き、これをセラミックスや樹脂で電気的に絶縁して、導電性酸化物で表面被覆したらせん状の帯板を巻きつけて取り付け、さらにその外壁をステンレス板やチタン板で覆ったものを陽極として収容し、円筒容器内へのガスの流入部とその排出部とを備えた排ガス中の有害物質の酸化分解装置であって、陽極と陰極の間に線間電圧０．４ｋＶ／ｃｍ〜７ｋＶ／ｃｍ、周波数５０〜１５０ｋＨｚ、電流１〜５０ｍＡを付与する発信装置を備えたことを特徴としている。
【００２３】
図２は、その構成例を示したものである。
【００２４】
図２の例においては、軸部分（１６）を陰極として、らせん面（１７）を酸化金属で被覆した陽極とし、かつらせん面（１７）の外筒部分の内側も酸化金属で被覆した陽極とし、流入口（１３）から入ったガスはらせん面に沿って流れていく。らせんのピッチを細かくすれば、有害ガスの除去効率は高まるが、圧力損失が大きくなる。たとえば、ピッチ３０ｍｍ、らせん面外径１２ｃｍで円筒長さ３０ｃｍの時、ＮＯx 、Ｈ2 Ｓの除去率は線間電圧１ｋＶ／ｃｍ、電流２ｍＡ、５０ｋＨｚで９０〜９５％となることが確認されている。
【００２５】
さらに、この出願の第４の発明の装置では、内側に酸化スズや酸化チタンなどの導電性酸化物もしくは白金を被覆した金属筒を複数束ねた構造のものを陽極として、さらに金属筒一つ一つに金属を中心に置き、これを陰極とし、これらを電気的に絶縁した円筒、角形状の筒の中に収容し、ガスの流入部とその排出部とを備えた排ガス中の有害物質の酸化分解装置であって、陽極と陰極との間に線間電圧０．４ｋＶ／ｃｍ〜７ｋＶ／ｃｍ、周波数５０〜１５０ｋＨｚ、電流０．５〜５０ｍＡを付与する発信装置を備えたことを特徴としている。
【００２６】
図３は、この構成例を示したものである。
【００２７】
ダイオキシンや自動車エンジンの排ガスである炭化水素やＣＯの酸化燃焼、ディーゼルエンジンの黒煙やＮＯX 消去を考慮している。筒体（１８）には略５０φのチタンを用い、その内側に酸化スズを塗布して、中心に白金線（１９）を配置している。飽和水蒸気とＣＯ１％濃度の合成ガスを送気して１００ｋＨｚと５０ｋＨｚ（いずれもデューテイ比５０％）とし、線間電圧１ｋＶ／ｃｍの実測値としては、図４に示すとおりの結果が得られている。ハニカム構造および円筒または角形ハニカム内部の酸化スズや酸化チタンの溶着技術を改良することによって酸化分解率を向上させることが可能となる。燃焼ガス中のダイオキシンの分解の可能性も、この図４から十分読み取れるので、電極の直径を小さくし、電極の長さを長くし、周波数を１５０〜２００ｋＨｚまで高めることによって除去効率を高められると考えられる。ＮＯX 、ＳＯx も常温のガスで実験した限り、酸化処理されているので、ディーゼルエンジンのＮＯX 、ＳＯx 減少にも有用と考えられる。
【００２８】
以上のガス中の有害物質の酸化処理については、たとえば、より実際的には、次のような条件がその実施において考慮することもできる。
対照物：コンポスト、下水処理場の排ガス、トイレット等の悪臭、燃焼排ガス、ダイオキシン、ＮＯX ＳＯx 自動車の排ガス、炭化水素；
方法：電圧高め６〜７ｋＶ／ｃｍ、パルス幅２０〜２５μｓ、デュ−ティ比３０〜５０％（ガス速度１ｍ／ｓ以下）、電流１〜５ｍＡ（低め）。；
水供給：アトマイザーを使ってガススプレー法とする；
温度条件：２００℃以下（水分解しないこと）。
【００２９】
この出願の発明の処理装置は、上記のとおり、例えば、池や湖沼、河川水などにおいて繁殖した藻類や菌類等を含有する汚濁水中の有害物質を処理した際に生じる排ガスを酸化分解して、処理する装置である。このとき、この出願の発明の排ガスの処理装置は、汚濁水の処理装置と連動させることで、汚濁水の有害物質酸化分解処理と、その際に生じる排ガスの有害物質酸化分解処理を行うことができる。
【００３０】
そこで、この出願の発明の処理装置と特に効率よく連動する、電場照射を利用した汚濁水の処理装置の構成例について説明する。この汚濁水の処理装置は、基本的には、表面に導電性酸化物を配設一体化させた金属を陽極とし、多孔質セラミックスもしくは樹脂を隔壁とし、その両側の内壁を貴金属溶着した金属板で囲い、この金属板を陰極とした構造を有し、陽極の隔壁を面対称として、２室の空間を形成したものであって、前記空間に対する矩形波放電装置を備え、汚濁水を一方の空間に流して電場照射し、その後上澄みを別の空間において電場照射するようにしている。
【００３１】
そして、この構成において、陽極の隔壁と陰極との間の空間は、１〜１０ｃｍの距離を置き、この空間に対する矩形波放電は、周波数１０〜２００ｋＨｚ、線間電圧２００Ｖ／ｃｍ〜１０ｋＶ／ｃｍ、電流０．５〜５０ｍＡの条件で行われるものとし、汚濁水は、最初の空間に０．０１〜０．１ｍ／ｓの流速で流すようにしたことや、表面に配設一体化させた導電性酸化物は、酸化チタン、酸化スズ、酸化ルビジウムのうちの１種以上であり、金属板に溶着した貴金属は白金であるものとしたことを好ましい。
【００３２】
添付した図面の図５は、この場合の構成例を示したものである。
【００３３】
この例においては、第１室（１）には陽極（１Ａ）と陰極（１Ｂ）が、第２室（２）には陽極（２Ａ）と陰極（２Ｂ）が、設けられており、陽極（１Ａ）と陽極（２Ａ）との間には、隔壁（２０）が配置されている。
【００３４】
ポンプＰ１で移送した藻類を含む液は第１室（１）を通って、電場照射処理され、沈澱槽（３）で容易に沈降分離される。さらにポンプＰ２で沈澱槽（３）の上澄液、すなわち細胞分解物や溶解性物質を含む上澄液は、第２室（２）に送られ、ここで電場照射される。沈澱槽（４）では、微粒子が沈澱する。大部分はＣＯ2 やＮ2 ガスとなって沈澱槽（３）（４）の上部で排出するが、硫化水素ガス、ＮＯx 、ＳＯx など有害ガスが発生するので、この出願の第１および第２の発明のガス状物質の処理を行うことができる。
【００３５】
金属酸化物の空洞に発生する *Ｏラジカルの活性を利用し、酸素ラジカルの酸化分解に生成するＨ+ の帯電性を利用して、死細胞となった細胞片の凝集を促進させ藻類を分離し、細胞内容物の酸化を十分に達成するために１電極２室構造によって問題を解決している。
【００３６】
また、汚泥水中に含まれる芳香族系の物質のダイオキシン、ＰＣＢ等は開裂、酸化分解中に中間生成物を生成するので、繰り返し電場照射する
すなわち、基本的には、両面に導電性酸化物粒子による薄膜を配設一体化させて分子分画選択透過性をもたせた多孔性金属板と、その両面側を金属製の、もしくは金属表面を持つ箱状容器で囲んで空間を形成し、多孔性金属板を陽極とし、箱状容器を陰極としたものであって、陽極および陰極に対する電圧印加装置を備え、多孔性金属板と箱状容器で囲まれた一方の側の空間には、汚濁水を加圧循環させ、陽極および陰極に電圧を印加し、他方の側の空間に限外ろ過するようにしている。
【００３７】
そして、この構成において、多孔性金属板は、粒径０．００１〜０．０１μｍの導電性酸化物粒子による厚み１０〜２０μｍの薄膜を有し、その選択透過性は５０×１０4 〜２×１０4 ダルトンの分子分画量であって、汚濁水は、０．２〜６．０ＭＰａで加圧循環され、かつ、陽極および陰極の間には、周波数１０〜２００ｋＨｚ、線間電圧２００Ｖ／ｃｍ〜１０ｋＶ／ｃｍの電圧が印加されるようにしたことや、導電性酸化物薄膜は、酸化チタン、酸化スズ、酸化ルテニウムのうちの１種以上により構成され、箱状容器は、ステンレス金属製の、もしくは白金表面を持つものとしたことを好ましい態様としてもいる。
【００３８】
図６は、このような構成の一例を示したものである。この図６において、陽極としての多孔性金属板（５）と陰極としての箱状容器（６）（７）とによって形成される上部空間（８）には、被処理原水を、たとえば加圧ポンプＰ１で０．２〜５．０ＭＰａまで加圧して循環流通させる。上部空間（８）側の多孔性金属板（５）の表面の金属酸化物膜においては、空隙が、たとえば０．００２〜０．０１μｍの径の小孔として存在し、分子量で２００Ｄａ（ダルトン）以上の分子の透過を阻止する構造でいわゆる限外ろ過、逆浸透膜と同じ性質を持たせてある。２００ダルトン以下の物質は金属酸化物膜を通過して、多孔性金属板（５）の下部からしみ出し、下部空間（９）に入るようにしておく。ろ過水も２〜３回ポンプで循環させることによって完全にＣＯ2 やＮ2 となる。
【００３９】
難分解性物質の分子量や分子結合強弱によって周波数、線間電圧、電流を変化させることになる。上部空間（８）および下部空間（９）からの循環水から分解ガスが出るので、有害ガスについてはこの発明の装置を用いて、または活性炭の吸収で処理する必要がある。ダイオキシンやＰＣＢについても化学構造からみて容易に分解できると考えられる。トリハロメタンやＮ−ヘキサンイソプロパノールなど地下水中の有害物質については１００％分解することが確認されている。
【００４０】
酸素ラジカルは、酸化電極表面の空洞に多く発生するが、この酸化力は強力でなく、酸化金属とその粒形状を慎重に選定すると *Ｏラジカルよりも *ＯＨラジカルが発生する条件があり、この条件の確認は化学物質の着色性よりできるので、この条件を選ぶことにより、 *ＯＨラジカルによって芳香族系の環の開裂が短時間に行える。
【００４１】
*ＯＨラジカルは酸化の時 *Ｏラジカルとなり、Ｈ+ を遊離するので、粒子の帯電凝集にも有利である。ただ、*ＯＨラジカルの発生時間は１〜１０μｓの短時間であるので、発信周波数を高める必要があるが、大きな線間電圧を得にくい。従って、電極面を相互に近づけることで、*ＯＨラジカルの発生を高めることができる。これによって、たとえば、図７に示すようなフェノールの分解をきわめて短時間に行うことができる。このことは、フェノールと同じ芳香族物質であり、また開裂、酸化分解中に中間生成物を生成する芳香族系の物質、例えば、ダイオキシンやＰＣＢ等をも酸化分解することができることが考慮できる。
【００４２】
また、陽極面の上面部分を膜構造として２００ダルトン以上を阻止することで回分処理し、分解されたものを下部空間（９）の液部で再度分解する２段分解膜複合形構造とすることで分解効率を高めることが可能となる。
【００４３】
以下に、この出願の発明の処理装置の実施例を示し、さらに具体的に説明する。
【実施例】
【００４４】
１：藻類を含有する汚濁水の処理と、その際に生じる排ガスの処理
クロロフィルａの濃度で５０μｇ／Ｌのアオコを含む汚濁水を、酸化チタンを有する陽極とステンレス陰極とを備えた図５に示す装置により、５０ｋＨｚ、線間電圧４００ｖ／ｃｍ、電流５ｍＡで、流量１Ｌ／ｍｉｎで連続処理したところ、表１のような結果を得た。窒素ガス、Ｎ2 Ｏガスの発生が得られること、また窒素とリンの物質収支からみて、確実に窒素成分が分解されていることが分かる。
【００４５】
なお、リンについては沈澱し、沈殿物側に移動していることが明白である。
【００４６】
【表１】
2006068743.tif 000003
２：芳香族系の物質の分解実験
芳香族系の物質としてフェノールを供した。このフェノールのベンゼン環の開裂が確実に行えるかどうか、酸化スズを有する陽極とステンレス陰極とを備えた図６に示した装置で、石炭酸の分解実験を回分実験として実施したところ、図７に示した結果が得られ、確実に分解されていることがわかった。分解途中では中間生成物の存在がみられたが、時間の経過とともに消滅した。ポリフェノールなど分子量の大きい褐変物質について分子分画量２００００ダルトンの金属酸化膜面を作成し、０．３Ｍｐａの圧力で運転操作したところ、濁度の減少Ｄ520 きわめて高速に減少した（図８）。
【００４７】
このような結果から、フェノールと同じ芳香族物質であり、また開裂、酸化分解中に中間生成物を生成する芳香族系の物質、例えば、ダイオキシンやＰＣＢ等をも酸化分解することができることが考慮できる。
【産業上の利用可能性】
【００４８】
以上詳しく説明したとおり、この出願の発明によって、酸化膜面を限界ろ過的作用をもたせ、高電場処理することによって排水処理過程に発生したＮＯX などの有害ガスや自動車の排ガス（ＮＯx 、ＳＯx など）を酸化分解することができる。
【００４９】
また、有害物質である微量のトリハロメタンやトリブチルスズ、ダイオキシン等のような環境ホルモン物質などを酸化処理し、芳香族系の環を開裂させ、無毒化することができる。
【図面の簡単な説明】
【００５０】
【図１】この出願の発明のガスの酸化分解装置の一例を示した概要図である。
【図２】図１とは別の例を示した概要図である。
【図３】さらに別の例を示した概要図である。
【図４】酸化処理によるＣＯ2 増加率の結果を例示した図である。
【図５】汚濁水の酸化分解処理装置の一例を示した概要図である。
【図６】汚濁水の酸化分解処理装置の別の例を示した概要図である。
【図７】フェノールの酸化分解の実際の結果を例示した図である。
【図８】ポリフェノールの減少例を示した図である。
【符号の説明】
【００５１】
１ 第１室
１Ａ 陽極
１Ｂ 陰極
２ 第２室
２Ａ 陽極
２Ｂ 陰極
３，４ 沈澱槽
５ 多孔性金属板
６，７ 箱状容器
８ 上部空間
９ 下部空間
１０ 陽極
１１ 陰極
１２ 円筒
１３ 流入口
１４ 隔壁板
１５ 排出口
１６ 軸部分
１７ らせん面
１７Ａ 絶縁板
１８ 筒体
１９ 白金線
２０ 隔壁
【図１】
2006068743.tif 000004
【図２】
2006068743.tif 000005
【図３】
2006068743.tif 000006
【図４】
2006068743.tif 000007
【図５】
2006068743.tif 000008
【図６】
2006068743.tif 000009
【図７】
2006068743.tif 000010
【図８】
2006068743.tif 000011